(57)【要約】      （修正有）【課題】勾配が少ない河川では、水量が少なくなると水がよどんでくるが、雑草など生えないように、また、家庭菜園やガーデニングなどにおいて水遣りは欠かせない作業であり、留守や旅行中とか電気のない山間での水遣りでは、電気を使用してのものでは漏電などによる故障などメンテナンスが必要であり無人化自動化する際に伴う危険を排除する方法を提供する。【解決手段】側板Ａと斜めの底板Ｂと上方の開口辺Ｃとからなる縦断面が三角形の水槽であって、前記斜めの底板Ｂの中心より側板に近い位置に水槽を支える支持軸２と支持軸受3を設け、該水槽上方の開口辺Ｃの上部の給水口4から水等を給水し、水槽内の水等が必要とする水量に達した時に水槽を支える支持軸２を基点に水槽が反転して水槽上部から一気に水の全てを放出させる反転式水槽1を設けることにより、勾配が少ない河川の水の流速促進やガーデニングなどの水遣り等に用いる。【選択図】図１
2012034587.tif 000002
【特許請求の範囲】
【請求項１】
側板Ａと斜めの底板Ｂと上方の開口辺Ｃとからなる縦断面が三角形の水槽であって、前記斜めの底板Ｂの中心より側板に近い位置に反転式水槽1を支える支持軸２と支持軸受3を設け、前記側板Ａと斜めの底板Ｂで構成される底部又はその付近に水槽反転復帰用ウエイト5を取り付け、ウエイトの重さを変えることで、該水槽上方の開口辺Ｃの上部の給水口4から水等を給水し、反転式水槽１内の水等が必要とする水量に達した時に反転式水槽1を支える支持軸２を基点に水槽が反転して水槽上部から一気に水の全てを放出させることを特徴とする反転式水槽。
【請求項２】
前記反転式水槽１を勾配が少ない河川などの一定の区間に設けることにより反転式水槽１から一気に河川に水等を放出させて水の流速を促進させ、浮遊土砂の堆積を軽減させて環境の改善をする事を特徴とする請求項１の反転式水槽。
【請求項３】
前記反転式水槽１の水槽への給水量を調節し、水槽が自動で反転する時間を設定することでガーデニングなどの水遣りを自動で行えることを特徴とする請求項１の反転式水槽。
【発明の詳細な説明】
【技術分野】
【０００１】
本発明は、勾配が少ない河川などの一定の区間の水の流れを促進する為や、家庭菜園やガーデニングに於いて自動で給水散水する為に用いることのできる反転式水槽1を提供する。
【背景技術】
【０００２】
勾配が少ない河川などは、従来から水の流れを促進するものとして、川幅を段階的に狭くして流速を増すものが考えられている
【０００３】
家庭菜園やガーデニングなどに給水散水するものとしては、タイマーを使って給水するものやフロートと弁による給水するなどが考えられている
【先行技術文献】
【非特許文献】
【０００４】
【非特許文献１】[出典・「平成１５年犀川総合開発事業(辰巳ダム建設)犀川水系河川整備計画検討業務報告書」より引用]、「土地改良計画設計基準  設計(水路工その１)には、水路内の平均流速が0.45〜0.9m/秒あれば、浮遊土砂の堆積を起こさない。  水路内の平均流速が0.7m/秒以上であれば、著しく流れを妨げるような植物の育成も防止できる、とされている。
【発明の概要】
【発明が解決しようとする課題】
【０００５】
勾配が少ない河川などの、川幅を段階的に狭くして流速を増すものでは、川の水量が少なくなると流れがなくなり水がよどんでくるし、雑草なども生えてくる。
【０００６】
また、家庭菜園やガーデニングなどの、タイマーを使って給水するものやフロートや電磁弁を使用しての給水するものなどがあるが、電気の使用できない場所とか漏電などによる故障などメンテナンスが必要であり、無人化自動化するには危険を伴う。
【課題を解決するための手段】
【０００７】
これらを解決するためのものとして、側板Ａと斜めの底板Ｂと上方の開口辺Ｃとからなる縦断面が三角形の水槽であって、前記斜めの底板Ｂの中心より側板に近い位置に水槽を支える支持軸２と支持軸受3を設け、前記側板Ａと斜めの底板Ｂで構成される底部又はその付近に水槽反転復帰用ウエイト5を取り付け、ウエイトの重さを変えることで、該水槽上方の開口辺Ｃの上部の給水口4から水等を給水し、水槽内の水等が必要とする水量に達した時に水槽を支える支持軸２を基点に水槽が反転して水槽上部から一気に水の全てを放出させる反転式水槽1を提供する。
【０００８】
前記反転式水槽１を勾配が少ない河川などの一定の区間に設けることにより反転式水槽１から一気に河川に水等を放出させて水の流速を促進させ、浮遊土砂の堆積を軽減させて環境の改善をする事ができる。
【０００９】
また、前記反転式水槽１の水槽への給水量を調節し、水槽が自動で反転する時間を設定することでガーデニングなどの水遣りを自動で行えることもできる。
【発明の効果】
【００１０】
本発明の反転式水槽１の一般的な利用の効果として、必要とする水量を必要とする間隔で貯水し流出するなとの利用目的と、水等を一気に放出して流波を起こすなど多種多様に利用することが出来る。
【００１１】
本発明の反転式水槽１を勾配が少ない河川などの一定区間に設けることにより反転式水槽１から一気に水等を放出させ浮遊土砂などでよどんだ川をきれいにし、環境の改善が出来る。
【００１２】
家庭菜園やガーデニングなどの給水散水する事に於いても、作物への水遣り量や鉢の数などによって反転式水槽１に貯水する水量を定めて、水槽の大きさを設定し、その水槽から一気に固定水槽10などに水等を放出することで固定水槽10からそれぞれの作物へ水等を定量供給することで無人で作物へ所望の量だけ給水散水する事が出来る。
【図面の簡単な説明】
【００１３】
【図１】本発明の縦断面が三角形の反転式水槽１の拡大原理図である。
【図２】本発明の縦断面が三角形の反転式水槽１を勾配が少ない河川に設けた時の断面図である。
【図３】本発明の縦断面が三角形の反転式水槽１をガーデニングなどの水遣りに使用する自動給水散水装置の断面図である
【図４】本発明の縦断面が三角形の反転式水槽１の側板Ａを鈍角に広げ側板Ａと底板Ｂで構成される底部をＲ形状にした時の反転式水槽１の検討拡大図である。
【図５】本発明の縦断面が三角形の反転式水槽１の側板Ａを鈍角に広げ側板Ａと底板Ｂで構成される底部をＲ形状にした反転式水槽1を勾配が少ない河川に設けた時の断面図である。
【図６】本発明の縦断面が三角形の反転式水槽１の側板Ａを鈍角に広げ側板Ａと底板Ｂで構成される底部をＲ形状にした反転式水槽１をガーデニングなどの水遣りに使用する自動給水散水装置の断面図である
【発明を実施するための形態】
【００１４】
図１は本発明の作動原理を示す原理で、側板Ａと斜めの底板Ｂと上方の開口辺Ｃとからなる縦断面が三角形の水槽であって、前記斜めの底板Ｂの中心より側板に近い位置に水槽を支える支持軸2と支持軸受3を設け、前記側板Ａと斜めの底板Ｂで構成される底部又はその付近に水槽反転復帰用ウエイト5を取り付け、該水槽反転復帰用ウエイト5の重さを、前記上方の開口辺Ｃの上部の給水口4から水等を給水し、反転式水槽１内の水等が必要とする水量に達した時に反転式水槽１を支える支持軸2を基点に水槽が反転して水槽上部から一気に水の全てを放出させる重さに調節した反転式水槽1である。
【実施例１】
【００１５】
これを図２に示すように勾配が少ない河川の一定区間の上流側に反転式水槽１を設け、下流側に水中ポンプ７を設けて川の水を引くことで、より流速を促進することが出来る。
水中ポンプ7で引きこんだ川の水の一部を送水管8にて上流側に送水して、主たる給水口4の他に該給水口4と同様の働きをする給水口4aから反転式水槽１に送水することで反転式水槽1に貯水する水の量を助成することが出来る。
【００１６】
また、水中ポンプ7で川の水を引く際に、水中ポンプ7の上流にスクリーン9を設けることで川を流れ来るゴミなどを取り除くことが出来る。
【００１７】
図３は家庭菜園やガーデニングに用いた例であって、本発明の反転式水槽１を小型化して、該水槽反転用ウエイト5にはペットボトルを使用し、ペットボトルの水量でウエイトを調節することでウエイトの調整が容易に出来、固定水槽10に必要な分だけ水を貯める事が出来る。
一定量貯まったら支持軸2を基点に反転式水槽1が反転して、水槽上部から一気に水槽内の水を固定水槽10に放出させ、水槽内が空の状態で元の位置に復元することで、次に貯水される時間が一定となり水遣り間隔が一定となる。
固定水槽10に溜まった水は必要とする鉢などの数だけ流出口11にノズルを取り付け、そのノズルにホースをつないで各鉢などに水遣りをすることが出来る。
【００１８】
給水口4にコックをと取り付け反転式水槽１への給水量を調節することで、反転式水槽１が反転する時間を調節して、水遣りの時間間隔を設定するなど、作物への水遣り量や鉢などの数によって反転式水槽１と固定水槽の大きさと流出口11の数を選定する。
【００１９】
必要に応じ図１の側板Ａを鈍角に広げ側板Ａと底板Ｂで構成される底部をＲ形状にすることで反転式水槽１の容量が約２倍とでき、本発明の効果を増すことができる。
このことにより反転式水槽１を支持する支持軸２の位置を側板Ａ側の反転可能な位置に移動させる。
底部をＲ形状にすることによって製作も容易であり維持管理に於いても強固となりより良い効果が期待できる。
【００２０】
本発明を構成している部品は反転式水槽1と支持軸2と支持軸受3で構成されており、いずれも簡単でシンプルで故障などの原因となるものがなく、低コスト低リスクである。
【符号の説明】
【００２１】
Ａ  側板
Ｂ  底板
Ｃ  開口辺
１  反転式水槽
２  支持軸
３  支持軸受
４  給水口
５  水槽反転復帰用ウエイト
【図１】
2012034587.tif 000003
【図２】
2012034587.tif 000004
【図３】
2012034587.tif 000005
【図４】
2012034587.tif 000006
【図５】
2012034587.tif 000007
【図６】
2012034587.tif 000008